(57)【要約】  視認する角度を変化させた際に、より大きな色変化を発現できる構成を備えた発光装置を得る。発光装置は、発光面（１０Ｓ）を有する有機ＥＬパネル（１０）と、発光面（１０Ｓ）上に設けられた光拡散層（２０）と、光拡散層（２０）上に設けられ、視認する角度に応じて異なる色が観察されるように光拡散層（２０）からの光の色を変化させてそれらを放出する色差形成層（３０）とを備える。
2016047229.tif 000002
【特許請求の範囲】
【請求項１】
発光面を有する有機ＥＬパネルと、
前記発光面上に設けられた光拡散層と、
前記光拡散層上に設けられ、視認する角度に応じて異なる色が観察されるように前記光拡散層からの光の色を変化させてそれらを放出する色差形成層と、を備える、
発光装置。
【請求項２】
前記色差形成層は、薄膜による干渉、多層膜による干渉、回折による干渉、微細溝による干渉、微細突起による干渉、および、微粒子による散乱のうちの少なくとも１つの作用を利用して、視認する角度に応じて異なる色が観察されるように前記光拡散層からの光の色を変化させる、
請求項１に記載の発光装置。
【請求項３】
前記色差形成層は、ホログラムシートまたは誘電体多層膜から形成される、
請求項１または２に記載の発光装置。
【請求項４】
湾曲した形状を有し、前記有機ＥＬパネルを湾曲した状態で保持するための保持基板をさらに備える、
請求項１から３のいずれか１項に記載の発光装置。
【請求項５】
前記有機ＥＬパネルの端部を回動可能に軸支する軸支部をさらに備える、
請求項１から４のいずれか１項に記載の発光装置。
【発明の詳細な説明】
【技術分野】
【０００１】
本発明は、有機ＥＬパネルを備えた発光装置に関する。
【背景技術】
【０００２】
特開２０１４−０７２２０４号公報（特許文献１）は、装飾効果を得ることが可能な有機ＥＬ発光システムを開示している。この発光システムは、視野角依存性が異なる複数種類の有機ＥＬ発光パネルを備えている。視野角依存性とは、発光面を視認する角度によって、コントラスト比や色の見え方が異なる性質のことである。【０００３】
特許文献１は、このような構成を備えた発光システムによれば、視認する角度の違いに応じて使用者からの見え方を異ならせることができるため、たとえば、視認する角度における見え方の違いを利用して模様等を形成することで、模様等が浮き上がっているかのような印象を使用者に抱かせることができると述べている。
【先行技術文献】
【特許文献】
【０００４】
【特許文献１】特開２０１４−０７２２０４号公報
【発明の概要】
【発明が解決しようとする課題】
【０００５】
視認する角度によって色の見え方が異なるという視覚効果を発揮できるような構成を備えた発光装置においては、視認する角度を変化させた際に、より大きな色変化を発現できるように構成することが好ましい場合がある。【０００６】
本発明は、視認する角度を変化させた際に、より大きな色変化を発現できる構成を備えた発光装置を提供することを目的とする。
【課題を解決するための手段】
【０００７】
本発明の一側面に従う発光装置は、発光面を有する有機ＥＬパネルと、上記発光面上に設けられた光拡散層と、上記光拡散層上に設けられ、視認する角度に応じて異なる色が観察されるように上記光拡散層からの光の色を変化させてそれらを放出する色差形成層と、を備える。
【図面の簡単な説明】
【０００８】
【図１】実施の形態における発光装置を示す平面図である。
【図２】図１中のＩＩ−ＩＩ線における矢視断面図である。
【図３】実施の形態における発光装置の分解した状態を示す断面図である。
【図４】実施の形態における発光装置の有機ＥＬパネル、光拡散層および色差形成層の一部を拡大して示す断面図である。
【図５】実施の形態における発光装置の使用態様を模式的に示す図である。
【図６】実施例および比較例１，２における、色度の変化を説明するための図である。
【図７】比較例１における垂直面内での配光分布を示す図である。
【図８】比較例１ａにおける垂直面内での配光分布を示す図である。
【図９】実施例における垂直面内での配光分布を示す図である。
【図１０】比較例２における垂直面内での配光分布を示す図である。
【図１１】実施の形態の変形例１における発光装置の使用態様を模式的に示す図である。
【図１２】実施の形態の変形例２における発光装置の使用態様を模式的に示す図である。
【発明を実施するための形態】
【０００９】
実施の形態について、以下、図面を参照しながら説明する。同一部品および相当部品には同一の参照番号を付し、重複する説明は繰り返さない場合がある。図１は、発光装置１００を示す平面図であり、図２中の矢印Ｉの方向から見た発光装置１００を示している。図２は、図１中のＩＩ−ＩＩ線における矢視断面図である。図３は、発光装置１００の分解した状態を示す断面図である。
【００１０】
図１〜図３を参照して、発光装置１００は、発光面１００Ｓ（図２）から光を放射する発光手段として機能する。発光装置１００は、照明や装飾の用途に限られず、様々な分野で用いられることができる。具体的には、発光装置１００は、有機ＥＬパネル１０、光拡散層２０、色差形成層３０、フロントシート４０、粘着剤４２（図２，図３）、粘着テープ４４（図２，図３）、バックシート４６（図２，図３）、およびリード線５１，５２（図１）を備える。
【００１１】
（有機ＥＬパネル１０）
図４は、有機ＥＬパネル１０、光拡散層２０および色差形成層３０の一部を拡大して示す断面図である。図４に示すように、有機ＥＬパネル１０は、透明基板１１、陽極１２、発光層１３、陰極１４、封止部材１５、および絶縁層１６を含む。透明基板１１は、ガラス、薄膜ガラス、または樹脂フィルムなどから構成される。透明基板１１は、有機ＥＬパネル１０の発光面１０Ｓ（図２，図３も参照）を形成する部材である。
【００１２】
陽極１２は、透明性を有する導電膜であり、透明基板１１上にＩＴＯ等が成膜されることで形成される。ＩＴＯ膜は、陽極１２と電極取出部１７（陽極用）を形成するため、および電極取出部１８（陰極用）を形成するために、パターニングによって２つの領域に分割されている。電極取出部１８のＩＴＯ膜は、陰極１４と接続される。
【００１３】
発光層１３は、電力を供給されることによって光を生成する。発光層１３は、単一または複数の層が積層されることによって構成される。陰極１４は、たとえばアルミニウム（ＡＬ）であり、発光層１３を覆うように形成される。絶縁層１６は、陰極１４と陽極１２との間に設けられる。陰極１４のうち、絶縁層１６が位置している側とは反対側の部分は、電極取出部１８に接続される。
【００１４】
封止部材１５は、ガラス、薄膜ガラス、または樹脂フィルムなどから構成される。封止部材１５は、陽極１２、発光層１３、および陰極１４の全体を透明基板１１上に封止する。電極取出部１７，１８は、電気的な接続のために、封止部材１５から露出している。電極取出部１７，１８は、電極パターン（有機ＥＬパネル１０の端部に設けられた２か所の電極ランド）、配線部材（ＦＰＣ：Flexible  Printed  Circuits）、および導電性接着剤などを介して、リード線５１，５２（図１）にそれぞれ電気接続される。
【００１５】
有機ＥＬパネル１０は、不図示の外部電源からリード線５１，５２および電極取出部１７，１８を通して給電されることによって、発光面１０Ｓから光を出射する（図３中の白色矢印参照）。有機ＥＬパネル１０を構成している透明基板１１を、樹脂フィルムや薄膜ガラス等の柔軟な材料（可撓性を有する材料）を用いて作製してもよい。この場合には、有機ＥＬパネル１０の全体を湾曲させることが可能となる。
【００１６】
（光拡散層２０）
図２〜図４に示すように、光拡散層２０は、有機ＥＬパネル１０の発光面１０Ｓ上に設けられる。光拡散層２０は、光拡散層２０を通過する光を拡散させる機能を有する。光拡散層２０を通過する前の光と、光拡散層２０を通過した後の光とを比較した場合、光拡散層２０を通過した後の光の配光特性は、配光特性の角度ごとの光量差が小さくなるように変化する。
【００１７】
すなわち光拡散層２０は、光拡散層２０を通過する光の配光特性をランバーシャン配光に近づける。光拡散層２０を通過する前の光の配光分布に比べて、光拡散層２０を通過した後の光の配光分布の方が、ランバーシャン配光に近くなる。このような機能を有する光拡散層２０は、たとえばＯＣＦ（Out  Coupling  Film）から構成される。
【００１８】
光拡散層２０を通過する光の配光特性をランバーシャン配光に近づけるような作用を有するものであれば、異方性を有する光拡散層２０を用いてもよいし、等方性を有する光拡散層２０を用いてもよい。光拡散層２０としては、母材の内部に微粒子を含むことで内部散乱作用を利用して光を拡散させるものを用いてもよいし、母材の表面に凹凸（微細構造）を有することで界面反射作用を利用して光を拡散させるものを用いてもよい。
【００１９】
有機ＥＬパネル１０の内部（発光層１３）で生成された光の多くは、発光面１０Ｓから出射されたのち（発光面１０Ｓから取り出されたのち）、光拡散層２０の中に入射する。発光面１０Ｓ上に設けられた光拡散層２０は、発光面１０Ｓから出射されない光成分を取り出す、いわゆる光取り出し効果を発揮することもできる。光拡散層２０が発光面１０Ｓ上に設けられていることによって、有機ＥＬパネル１０の光取出効率が向上し、ひいては発光装置１００の発光効率も向上する。
【００２０】
（色差形成層３０）
図２〜図４に示すように、色差形成層３０は、光拡散層２０上に設けられる。色差形成層３０と有機ＥＬパネル１０との間に、光拡散層２０が位置している。本実施の形態の色差形成層３０は、レインボーフィルム３１と、レインボーフィルム３１の片側の表面を覆うように設けられた粘着剤３２とを含む。粘着剤３２は、レインボーフィルム３１と光拡散層２０とを接着する。粘着剤３２は、必須の構成ではないため、必要に応じて用いられるとよい。
【００２１】
色差形成層３０（レインボーフィルム３１）は、視認する角度に応じて異なる色が観察されるように、光拡散層２０からの光の色を変化させてそれらを表面３０Ｓ（図３）から放出する。色差形成層３０が有するこのような機能は、たとえば、構造色の原理によって実現されることができる。例示すると、薄膜による干渉、多層膜による干渉、回折による干渉、微細溝による干渉、微細突起による干渉、および、微粒子による散乱のうちの少なくとも１つの作用を利用することによって、上記の色差形成層３０の機能は実現されることができる。
【００２２】
色差形成層３０には、レインボーフィルム３１のようないわゆるホログラムシートの代わりに、誘電体多層膜を用いてもよい。誘電体多層膜を用いる場合には、複数の層ごとの膜厚の組み合わせや、複数の層ごとの膜質の組み合わせにより、光の干渉の仕方を変化させることができる。すなわち誘電体多層膜は、多層膜による干渉の作用を利用して、視認する角度に応じて異なる色が観察されるように光拡散層２０からの光の色を変化させてそれらを表面３０Ｓ（図３）から放出することができる。
【００２３】
（フロントシート４０およびバックシート４６など）
図２および図３に示すように、フロントシート４０およびバックシート４６は、ＰＥＴフィルムなどの封止機能を有する部材から構成される。フロントシート４０およびバックシート４６のそれぞれの外形サイズは、有機ＥＬパネル１０などよりも大きい（図１参照）。図１においては、便宜上のためフロントシート４０を一点鎖線を用いて透過的に図示している。
【００２４】
フロントシート４０の片側の表面には、粘着剤４２（図２，図３）が設けられる。粘着剤４２は、フロントシート４０とレインボーフィルム３１とを接着する。粘着テープ４４は、有機ＥＬパネル１０とバックシート４６との間に配置され、有機ＥＬパネル１０とバックシート４６とを接着する。フロントシート４０およびバックシート４６は、有機ＥＬパネル１０、光拡散層２０および色差形成層３０を挟み込んで密封することで、これらを封止する。封止により有機ＥＬパネル１０などをモジュール化することで、防水性が得られ、物理的な破損からも有機ＥＬパネル１０を保護できる。使用環境や使用条件を拡大することができ、さまざまな用途への適用が可能となる。
【００２５】
封止手順の一例を挙げると、まず、有機ＥＬパネル１０の発光面１０Ｓ上に、光拡散層２０（ＯＣＦ）、色差形成層３０（粘着剤３２およびレインボーフィルム３１）を順に貼り合わせる。次に、バックシート４６に、粘着テープ４４を用いて有機ＥＬパネル１０の裏面側を貼り合わせる。その後、色差形成層３０の表面３０Ｓ（図３）側に、粘着剤４２を介してフロントシート４０を貼り合わせる。これにより、有機ＥＬパネル１０、光拡散層２０および色差形成層３０を封止できる。
【００２６】
封止の際には、気泡ができるだけ内部に入り込まないようにすることが好ましい。たとえば、特開昭６３−０５１０９２号公報や特開平０２−１６０３９８号公報に記載されているような、真空ダイヤフラムを用いた装置を使用できる。本実施の形態においては、フロントシート４０のうち、有機ＥＬパネル１０への給電箇所に対応する部分に開口が設けられている。有機ＥＬパネル１０の端部に設けられた２か所の電極ランド（図１参照）は、この開口を利用して、リード線５１，５２（図１）に電気接続される。
【００２７】
図５を参照して、以上のような構成を有する発光装置１００は、有機ＥＬパネル１０など（図５において図示せず）を保持するための保持基板２００とともに用いられることができる。保持基板２００は、発光装置１００の構成要素の一つとして捉えることも可能である。保持基板２００は、天井面であってもよいし、側壁面であってもよい。保持基板２００は、建築物などの固定物に限られず、車両などの外表面であってもよい。
【００２８】
保持基板２００は、たとえば、ＰＣ（ポリカーボネート）、ＡＢＳ、ＰＭＭＡ等のプラスチック材料や、ＳＵＳ（ステンレススチール）、アルミ、鋼板等の金属材料から構成することができる。図１１を参照して後述するが、保持基板２００の形状は、射出成形、曲げ加工、プレス加工などによって、平板形状や曲率のついた湾曲板形状としてもよい。保持基板２００に対し、発光装置１００を接着剤や粘着両面テープ等で貼り付けることが可能である。
【００２９】
（作用および効果）
発光装置１００に備えられる色差形成層３０（図２）は、視認する角度θ１，θ２，θ３に応じて異なる色が観察されるように、光拡散層２０（図２）からの光の色を変化させてそれらを放出する。図５に示す例では、θ１＜θ２＜θ３である。すなわち発光装置１００の発光面１００Ｓから放射される光は、視認する角度によって色の見え方が異なるという視覚効果を発揮できる。
【００３０】
冒頭で述べた特開２０１４−０７２２０４号公報（特許文献１）は、視野角依存性が異なる複数種類の有機ＥＬ発光パネルを備えている。本実施の形態の発光装置１００では、色差形成層３０を用いることにより、視認する角度に応じて色の見え方が異なるという視覚効果を発揮できる。
【００３１】
ここで、上述の通り、有機ＥＬパネル１０からの光が光拡散層２０を通過する際に、光の配光特性は、ランバーシャン配光に近づくように変換される。光拡散層２０を通過する前の光と、光拡散層２０を通過した後の光とを比較した場合、光拡散層２０を通過した後の光の配光特性は、配光特性の角度ごとの光量差が小さくなるように変化する。色差形成層３０は、視認する角度に応じて異なる色が観察されるように、光拡散層２０からの光の色を変化させてそれらを放出する。
【００３２】
視認する角度に応じて変化する光の色変化の度合いは、有機ＥＬパネル１０からの光が直接的に色差形成層３０に取り込まれる場合に比べて、光拡散層２０の拡散効果によって配光特性がランバーシャン配光に近づくように変換されたのちに光が色差形成層３０に取り込まれる場合の方が大きくなる。したがって、本実施の形態の発光装置１００によれば、視認する角度を変化させた際により大きな色変化を発現できる。また、有機ＥＬパネルの配光特性は様々なパターンがあるが、光拡散層２０を用いることで、配光特性がランバーシャン配光に近づくように変換されるので、どのような配光特性を持つ有機ＥＬパネルであっても、視認する角度を変化させた際により大きな色変化を発現できる。
【００３３】
以下、図６〜図１０を用いて、より具体的に説明する。以下に述べる実施例（図６，図９）とは、上述の実施の形態に基づく構成を備えるものである。比較例１（図６，図７）とは、上述の実施の形態に基づくものではなく、有機ＥＬパネル１０のみから構成されるものである。比較例１ａ（図８）とは、比較例１に光拡散層２０のみを加えた構成を備えるものである。比較例２（図６，図１０）とは、比較例１に色差形成層３０のみを加えた構成を備えるものである。
【００３４】
図６は、実施例および比較例１，２における、色度の変化を説明するための図であり、ＸＹＺ表色系色度図を用いて色度の変化が表現されている。図７〜図１０は、それぞれ、比較例１、比較例１ａ、実施例、比較例２における垂直面内での配光分布を示す図である。配光分布を示す図において、Ｒは赤色の値を示し、Ｇは緑色の値を示し、Ｂは青色の値を示すものである。
【００３５】
図６を参照して、比較例１（パネルのみ）の場合には、視認する角度をたとえば０°から８０°まで変化させた際に観察される色（色度）の変化の度合いは、図６中の四角印で示される線の範囲となる。この範囲は、実施例（丸印）および比較例２（三角印）のいずれの範囲よりも小さい。
【００３６】
図７および図８を参照して、図７に示すような配光分布を有する比較例１（パネルのみ）に、光拡散層２０を付加した場合には、図８に示すような配光分布が得られる。すなわち、比較例１ａの構成においては、光拡散層２０の拡散効果によって配光特性がランバーシャン配光に近づくように変換される。これは、ＲＧＢの各色において得られる現象であり、色差形成層３０へ入射した際に、より大きな視覚効果を発現できる状態が形成される。
【００３７】
図８および図９を参照して、図８に示すような配光分布を有する比較例１ａ（パネル＋光拡散層２０）に、色差形成層３０を付加した場合には、図９に示すような配光分布が得られる。すなわち、実施例の構成においては、配光分布が光拡散層２０によってランバーシャン配光に近づくように変化した光が、色差形成層３０を通過したのちに放射される。色差形成層３０を通過することによって、視認する角度によって色の見え方が異なるという視覚効果が得られる。
【００３８】
図６を参照して、実施例の場合には、視認する角度をたとえば０°から８０°まで変化させた際に観察される色（色度）の変化の度合いは、図６中の丸印で示される線の範囲となる。丸印で示される線は、四角印で示される線および三角印で示される線のいずれよりも長く、広い範囲に亘って延びている。比較例１（および比較例１ａ，２）に比べて、実施例は、光拡散層２０の拡散効果を経ているため色差形成層３０が有する特性を十分に発揮することができ、視認する角度を変化させた際により大きな色変化を発現できる。
【００３９】
図１０を参照して、一方で、図７に示すような配光分布を有する比較例１（パネルのみ）に、光拡散層２０を介さないで直接的に色差形成層３０を付加した場合には、図１０に示すような配光分布が得られる。視認する角度をたとえば０°から８０°まで変化させた際に観察される色（色度）の変化の度合いは、図６中の三角印で示される線の範囲となる。この範囲は、比較例１（四角印）より大きいが、実施例（丸印）よりは小さい。
【００４０】
したがって、実施の形態における発光装置１００によれば、冒頭で述べた特開２０１４−０７２２０４号公報（特許文献１）のように視野角依存性が異なる有機ＥＬ発光パネルをあえて用いなくても、色差形成層３０の配設によって、視認する角度に応じて色の見え方が異なるという視覚効果を発揮できる。そして、光拡散層２０の拡散効果を経ることによって、色差形成層３０が有する特性を十分に発揮することができ、視認する角度を変化させた際により大きな色変化を発現できる。また、光拡散層２０が発光面１０Ｓ上に設けられていることによって、有機ＥＬパネル１０の光取出効率が向上し、ひいては発光装置１００の発光効率も向上させることが可能となる。
【００４１】
（変形例１）
図１１を参照して、実施の形態における発光装置１００は、有機ＥＬパネル１０など（図１１において図示せず）を保持するための、他の保持基板７０とともに用いられることもできる。保持基板７０は、図５に示した保持基板２００とは異なり、湾曲した形状を有しており、有機ＥＬパネルを湾曲した状態で保持することができる。図１１に示す視認する角度については、θ４＞θ５＞θ６である。保持基板７０も、保持基板２００（図５）の説明で述べた場合と同様に、発光装置１００の構成要素の一つとして捉えることも可能である。保持基板７０は、天井面であってもよいし、側壁面であってもよい。保持基板７０は、建築物などの固定物に限られず、車両などの外表面であってもよい。
【００４２】
発光装置１００（発光面１００Ｓ）を湾曲させた場合には、所定の位置（視点）に立つ使用者が近くから遠くへと視線を移した場合に得られる視認する角度の変化が、平板形状の場合とは異なることになる。したがって、湾曲板形状の場合には、平板形状の場合とは異なる視覚効果を得ることが可能となる。一例を挙げると、平板形状の場合には視線が近くから遠くへと移るにつれて視認する角度が次第に大きくなる。これに対して湾曲板形状の場合には、視線が近くから遠くへと移るにつれて視認する角度が次第に小さくなるように構成することも可能である。
【００４３】
（変形例２）
図１２に示すように、発光装置１００および保持基板７０の端部には、ブラケット８２を介して軸支部８０が設けられていてもよい。軸支部８０は、ブラケット８２および保持基板７０等を介して、有機ＥＬパネル１０の端部を回動可能に軸支する（矢印ＡＲ参照）。軸支部８０は、モーターなどの電機的な手段によって駆動されるものであってもよいし、風などの外力によって駆動されるものであってもよい。
【００４４】
発光装置１００（有機ＥＬパネル１０）が回動可能に軸支されることで、発光装置１００の発光面１００Ｓから放射される光にも演出効果が付与される。たとえば、一定箇所に静止した使用者が、同じ方向を向いたままで視線を動かさない場合であっても、発光装置１００が動くことで使用者の発光面１００Ｓ（色差形成層３０）に対する視認の角度が変化する。視認する角度の変化に伴い、色が変化する視覚効果が得られる。
【００４５】
以上説明した発光装置は、発光面を有する有機ＥＬパネルと、上記発光面上に設けられた光拡散層と、上記光拡散層上に設けられ、視認する角度に応じて異なる色が観察されるように上記光拡散層からの光の色を変化させてそれらを放出する色差形成層と、を備える。
【００４６】
好ましくは、上記色差形成層は、薄膜による干渉、多層膜による干渉、回折による干渉、微細溝による干渉、微細突起による干渉、および、微粒子による散乱のうちの少なくとも１つの作用を利用して、視認する角度に応じて異なる色が観察されるように上記光拡散層からの光の色を変化させる。
【００４７】
好ましくは、上記色差形成層は、ホログラムシートまたは誘電体多層膜から形成される。
【００４８】
好ましくは、湾曲した形状を有し、上記有機ＥＬパネルを湾曲した状態で保持するための保持基板がさらに備えられる。
【００４９】
好ましくは、上記有機ＥＬパネルの端部を回動可能に軸支する軸支部がさらに備えられる。
【００５０】
上記構成によれば、有機ＥＬパネルからの光が光拡散層を通過する際に、光の配光特性がランバーシャン配光に近づくように変換される。色差形成層は、視認する角度に応じて異なる色が観察されるように、光拡散層からの光の色を変化させてそれらを放出する。視認する角度に応じて変化する光の色変化の度合いは、有機ＥＬパネルからの光が直接的に色差形成層に取り込まれる場合に比べて、光拡散層の拡散効果によって配光特性がランバーシャン配光に近づくように変換されたのちに光が色差形成層に取り込まれる場合の方が大きくなる。したがって上記の発光装置によれば、視認する角度を変化させた際により大きな色変化を発現できる。
【００５１】
以上、実施の形態および実施例について説明したが、上記の開示内容はすべての点で例示であって制限的なものではない。本発明の技術的範囲は請求の範囲によって示され、請求の範囲と均等の意味および範囲内でのすべての変更が含まれることが意図される。
【符号の説明】
【００５２】
１０  有機ＥＬパネル、１０Ｓ，１００Ｓ  発光面、１１  透明基板、１２  陽極、１３  発光層、１４  陰極、１５  封止部材、１６  絶縁層、１７，１８  電極取出部、２０  光拡散層、３０  色差形成層、３０Ｓ  表面、３１  レインボーフィルム、３２，４２  粘着剤、４０  フロントシート、４４  粘着テープ、４６  バックシート、５１，５２  リード線、７０，２００  保持基板、８０  軸支部、８２  ブラケット、１００  発光装置。
【図１】
2016047229.tif 000003
【図２】
2016047229.tif 000004
【図３】
2016047229.tif 000005
【図４】
2016047229.tif 000006
【図５】
2016047229.tif 000007
【図６】
2016047229.tif 000008
【図７】
2016047229.tif 000009
【図８】
2016047229.tif 000010
【図９】
2016047229.tif 000011
【図１０】
2016047229.tif 000012
【図１１】
2016047229.tif 000013
【図１２】
2016047229.tif 000014
【国際調査報告】
2016047229.tif 000015
2016047229.tif 000016
2016047229.tif 000017
2016047229.tif 000018